(57)【要約】【課題】電線接続コネクタを接続する際の誤接続を防ぎつつ、接続の簡易化を図ることができる電線接続コネクタを提供する。【解決手段】複数の電源供給側コネクタと複数の電源被供給側コネクタのそれぞれから一つを選択し互いを接続することで電源供給側コネクタから電源被供給側コネクタへと電力を供給するコネクタ装置において、複数の電源供給側コネクタには、供給電力量の違い毎に大きさの異なる接続部が設けられており、複数の電源被供給側コネクタには、電源被供給側コネクタが必要とする必要電力量の違い毎に大きさの異なる被接続部が設けられており、被接続部にはこれより小さな前記接続部が接続可能であって、供給電力量と必要電力量とが一致する場合、もしくは、供給電力量が必要電力量よりも下回る場合にのみ、接続部と被接続部とが接続可能であることを特徴とするコネクタ装置。【選択図】図１
2015176705.tif 000002
【特許請求の範囲】
【請求項１】
複数の電源供給側コネクタと複数の電源被供給側コネクタのそれぞれから一つを選択し互いを接続することで前記電源供給側コネクタから前記電源被供給側コネクタへと電力を供給するコネクタ装置において、
前記複数の電源供給側コネクタには、供給電力量の違い毎に大きさの異なる接続部が設けられており、
前記複数の電源被供給側コネクタには、前記電源被供給側コネクタが必要とする必要電力量の違い毎に大きさの異なる被接続部が設けられており、
前記被接続部にはこれより小さな前記接続部が接続可能であって、
前記供給電力量と前記必要電力量とが一致する場合、もしくは、前記供給電力量が前記必要電力量よりも下回る場合にのみ、
前記接続部と前記被接続部とが接続可能であることを特徴とするコネクタ装置。
【請求項２】
前記複数の電源供給側コネクタには、前記供給電力量の違い毎に大きさが変化しない共通接続部が設けられており、
前記電源被供給側コネクタには、前記必要電力量の違い毎に大きさが変化しない共通被接続部が設けられており、
前記電源供給側コネクタと前記電源被供給側コネクタとを接続した際、常に前記共通接続部と前記共通被接続部とが接続されることを特徴とする請求項１記載のコネクタ装置。
【請求項３】
光源と、
前記光源に電力を供給する電源装置と、
前記光源と前記電源装置とを有する器具本体と、
請求項１または請求項２に記載のコネクタ装置における前記電源供給側コネクタと前記電源被供給側コネクタとを備えたことを特徴とする照明装置。
【発明の詳細な説明】
【技術分野】
【０００１】
本発明は、コネクタ装置および照明装置に関するものである。
【背景技術】
【０００２】
ＬＥＤ照明器具には、少なくともＬＥＤ光源およびＬＥＤ点灯回路が備えられている。このＬＥＤ光源およびＬＥＤ点灯回路からは、互いに配線が引き出され、その先端にはコネクタが設けられている。そして、組み立て時、又は、施工時において、互いのコネクタを接続することによって電気的接続を図っている。
【０００３】
近年、多種多様なＬＥＤ照明器具が市場に出回り、ＬＥＤ光源の多品種化、ＬＥＤ点灯回路の多品種化が進んでいる。その結果、組み立て時、又は、施工時において、どのＬＥＤ光源をどのＬＥＤ点灯回路と接続すればよいのかが複雑化しており、作業員の作業効率性を低下させている。
【０００４】
特許文献１には、種類の異なる複数の照明器具を一つの電力系統と接続する例が開示されている。
【先行技術文献】
【特許文献】
【０００５】
【特許文献１】特開２０１２−４３７５５号公報
【発明の概要】
【発明が解決しようとする課題】
【０００６】
電源を供給する複数の配線と、複数のＬＥＤ照明器具とをそれぞれ接続する際、上述の特許文献１のように位相の変化を観察することによって、誤接続によるＬＥＤ光源の破壊を防ぐ技術は公になっている。
【０００７】
しかしながら、上記のように位相の変化を観察するためには、複雑な検知手段が必要となっていた。
【０００８】
そこで、本発明は、複雑な検知手段を用いることもなく、視覚的に捉えることが可能な形状に着目することで、誤接続によるＬＥＤ光源の破損を防止し、かつ、接続の簡易化を図ることができるコネクタ装置を提供することを目的とする。
【課題を解決するための手段】
【０００９】
本発明のコネクタ装置は、複数の電源供給側コネクタと複数の電源被供給側コネクタのそれぞれから一つを選択し互いを接続することで電源供給側コネクタから電源被供給側コネクタへと電力を供給するコネクタ装置において、複数の電源供給側コネクタには、供給電力量の違い毎に大きさの異なる接続部が設けられており、複数の電源被供給側コネクタには、電源被供給側コネクタが必要とする必要電力量の違い毎に大きさの異なる被接続部が設けられており、被接続部にはこれより小さな接続部が接続可能であって、供給電力量と必要電力量とが一致する場合、もしくは、供給電力量が必要電力量よりも下回る場合にのみ、接続部と被接続部とが接続可能であることを特徴とする。
【００１０】
また、本発明のコネクタ装置は、複数の電源供給側コネクタでは、供給電力量の違い毎に大きさが変化しない共通接続部が設けられており、電源被供給側コネクタには、必要電力量の違い毎に大きさが変化しない共通被接続部が設けられており、電源供給側コネクタ
と電源被供給側コネクタとを接続した際、常に共通接続部と共通被接続部とが接続されることが好ましい。
【００１１】
また、本発明の照明装置は、光源と、光源に電力を供給する電源装置と、光源と電源装置とを有する器具本体と、上述のコネクタ装置における電源供給側コネクタと電源被供給側コネクタとを備えたことを特徴とする。
【発明の効果】
【００１２】
本発明によれば、電線接続コネクタを接続する際の誤接続を防ぎつつ、接続の簡易化を図ることができる。
【図面の簡単な説明】
【００１３】
【図１】実施形態１に係るコネクタ装置の斜視図
【図２】実施形態１に係るコネクタ装置を用いた照明装置の分解図
【図３】実施形態２に係るコネクタ装置の斜視図
【発明を実施するための形態】
【００１４】
以下、本発明のコネクタ装置及び照明装置の実施形態について図１〜図３を用いて説明を行う。なお、以下の実施形態においては、ＬＥＤ照明器具に関するコネクタ装置に特化した説明を行うが、本発明におけるコネクタ装置の形状は、ＬＥＤ照明器具に用いられるものに限定されるものではなく、その他様々な用途としてのコネクタ装置に活用することが可能である。
（実施形態１）
図１に示すように、本実施形態のコネクタ装置１００は、複数の電源供給側コネクタ１１０と複数の電源被供給側コネクタ１２０のそれぞれから一つを選択し互いに接続することで電源供給側コネクタ１１０から電源被供給側コネクタ１２０へと電量を供給するものであって、複数の電源供給側コネクタ１１０には、供給電力量の違い毎に大きさの異なる接続部１３０が設けられており、複数の電源被供給側コネクタ１２０には、電源被供給側コネクタ１２０が必要とする必要電力量の違い毎に大きさの異なる被接続部１４０が設けられており、被接続部１４０には、これより小さな接続部１３０が接続可能であって、供給電力量と必要電力量とが一致する場合、もしくは、供給電力量が必要電力量よりも下回る場合のみ、接続部１３０と被接続部１４０とが接続可能である。
【００１５】
また、本実施形態のコネクタ装置１００においては、複数の電源供給側コネクタ１１０には、供給電力量の違い毎に大きさが変化しない共通接続部１５０が設けられており、電源被供給側コネクタ１２０には、必要電力量の違い毎に大きさが変化しない共通被接続部１６０が設けられており、電源供給側コネクタ１１０と電源被供給側コネクタ１２０とを接続した際、常に共通接続部１５０と共通被接続部１６０とが接続される。
【００１６】
図２に示すように本実施形態の照明装置２４０は、ＬＥＤ光源１７０と、ＬＥＤ光源１７０に電力を供給する電源装置１８０と、ＬＥＤ光源１７０と電源装置１８０とを有する器具本体２６０と、コネクタ装置１００における電源供給側コネクタ１１０と電源被供給側コネクタ１２０とを備えたものである。
【００１７】
以下、本実施形態の詳細について説明する。
【００１８】
コネクタ装置１００は、電源供給側コネクタ１１０と電源被供給側コネクタ１２０とを有しており、電源供給側コネクタ１１０と電源被供給側コネクタ１２０とを組み合わせることによって、電気的接続を実現している。コネクタ装置１００は絶縁材料で構成されており、例えば、塩化ビニル、合成ゴム、ポリエステル、エポキシ、シリコーンなど合成樹
脂系材料からなっている。
【００１９】
電源供給側コネクタ１１０には、接続部１３０が備えられている。この接続部１３０には、電源装置１８０からの配線が接続されている。また、図１では、接続部１３０を凸形状で示しているが、この形状に限られず、接続可能な形状であればよく、例えば凹状であってもよい。また、接続部１３０の先端もしくは側面には、電力供給部（図示せず）が設けられており、この電力供給部は導電材料で構成されている。
【００２０】
電源被供給側コネクタ１２０には、被接続部１４０が備えられている。この被接続部１４０には、ＬＥＤ光源１７０からの配線が接続されている。また、図１では、被接続部１４０を凹形状で示しているが、この形状に限られず、接続可能な形状であればよく、例えば凸形状であってもよい。また、被接続部１４０の底面または周面には、電力被供給部（図示せず）が設けられており、この電力供給部は導電材料で構成されている。
【００２１】
上記構成により、電源供給側コネクタ１１０の接続部１３０から、電源被供給部１２０の被接続部１４０へと電力の授受が行われる構造となっている。
【００２２】
複数の電源供給側コネクタ１１０における、それぞれの接続部１３０は、供給電力量の違い毎に大きさが異なっている。例えば、供給電力量が大きいほど接続部１３０の大きさを大きくするようなことが考えられている。
【００２３】
一方、複数の電源被供給側コネクタ１２０における、それぞれの被接続部１４０は、ＬＥＤ光源が必要とする必要電力量の違い毎に大きさが異なっている。例えば、必要電力量が大きいほど被接続部１４０の大きさを大きくするようなことが考えられる。
【００２４】
図１には一例を示している。具体的には、接続部１３１は接続部１３２よりも大きく、すなわち、供給電力量が接続部１３２よりも接続部１３１の方が大きいことになる。それと同様に、被接続部１４１は被接続部１４２よりも大きく、すなわち、必要電力量が被接続部１４２よりも被接続部１４１の方が大きいことになる。
【００２５】
上述のように、供給電力量の違い毎に接続部１３０の大きさを異ならせ、かつ、必要電力量の違い毎に被接続部１４０の大きさを異ならせることで、視覚的に互いに通電する電力量を把握することが可能となる。
【００２６】
さらに、被接続部１４２の大きさよりも大きな接続部１３１は、物理的に挿入不可となっており、ＬＥＤ光源側が求める必要電力量を上回る供給電力量を供給する接続部１３０は挿入不可となっている。
【００２７】
よって、ＬＥＤ光源側が求める必要電力量を上回る供給電力量を通電させることによるＬＥＤ光源の破壊を防ぐことが可能となる。
【００２８】
一方、被接続部１４１の大きさと合致もしくは小さな接続部１３１および接続部１３２は、挿入可能であり、ＬＥＤ光源側が求める必要電力量と一致もしくは下回る供給電力量を通電する接続部１３０は挿入可能となっている。
【００２９】
また、電源供給側コネクタ１１０には、共通接続部１５０が備えられている。この共通接続部１５０はニュートラル接続であって、供給電力量の大きさを左右するものではなく、いずれの電源供給側コネクタ１１０においても同形状である。これと対応する電源被供給側コネクタ１２０の共通被接続部１６０においても、必要電力量の大きさを左右するものではなく、いずれの電源被供給側コネクタ１２０においても同形状である。
【００３０】
このように、共通接続部１５０および共通被接続部１６０は常に同形状であるため、接続部１３０と混同する可能性が低い。よって、ニュートラル接続と電力供給側の接続部１３０との誤接続を回避することが可能となる。
【００３１】
なお、図１に示す接続部１３０、共通接続部１５０、被接続部１４０、共通被接続部１６０はいずれも四角形であるが、この形状に限られるものではなく、いかなる形状であってもよい。
【００３２】
また、図１には、接続部１３０と被接続部１４０のそれぞれの大きさのバリエーションを２種類ずつ示しているが、これに限られることなく、さらに多くのバリエーションを増やすことが可能である。
【００３３】
ここで、図２に示した、コネクタ装置１００を用いた照明装置２４０について説明を行う。
【００３４】
コネクタ装置１００における電源供給側コネクタ１１０を電源装置１８０に接続し、電源被供給側コネクタ１２０を光源１７０と接続する。このように配線することによって、光源１７０が求める必要電力量を超える供給電力量を出力する電源供給側コネクタ１１０を結線することがなくなり、誤接続による光源１７０の破壊を防ぎつつ、効率良く作業を行うことが可能となる。
【００３５】
また、照明装置２４０は、光源固定具２００、反射板２１０、コーン２２０、取り付けバネ２３０を備える構造となっている。
（実施形態２）
実施形態１で示した内容と同一部分に関しては、実施形態１で記載した内容と同一であるため、記載を省略する。
【００３６】
図３に示すように、接続部１３０は、共通接続部１５０とは異なる形状で構成されている。図２に示すのは一例ではあるが、接続部１３０は円柱形、共通接続部１５０は四角柱形で構成されている。
【００３７】
これに対応するように、被接続部１４０および共通被接続部１６０は、それぞれに対応する接続部１３０および共通接続部１５０と同様の形状で構成されている。
【００３８】
このように、接続部１３０と共通接続部１５０の形状を異ならせることで、接続部１３０を共通被接続部１６０に挿入することや、共通接続部１５０を被接続部１４０に挿入するような誤接続を防止することが可能となる。
【００３９】
なお、本実施形態では接続部１３０および被接続部１４０を円柱形としたが、この形状に限定されるものではなく、共通接続部１５０と接続部１３０の形状が同一とならないような形状であればよい。
【符号の説明】
【００４０】
１００  コネクタ装置
１１０  電源供給側コネクタ
１２０  電源被供給側コネクタ
１３０  １３１  １３２  接続部
１４０  １４１  １４２  被接続部
１５０  共通接続部
１６０  共通被接続部
１７０  ＬＥＤ光源
１８０  電源装置
２４０  照明装置
２６０  器具本体
【図１】
2015176705.tif 000003
【図２】
2015176705.tif 000004
【図３】
2015176705.tif 000005